(57)【要約】  本発明によれば、遠心ポンプに用いられるインペラは、半径方向に延びる外側終端部を備える羽根を有する。羽根は、インペラから押し出されるスラリー流体を原因としてポンプケーシングの内側表面上に生じる摩損を、制御および低減する流体速度分布を生じさせるために構成される。本発明のインペラの羽根は、従来のインペラの羽根であるまっすぐな、あるいは凹形状の縁部と比べて、概ね半径方向外側に向かって延びる部分を備えるように構成される。外側に向かって延びる部分の形状は変形することができるが、ポンプケーシングの摩損を低減する流体速度分布を生じさせるように選択される。【選択図】図８
2007531841.tif 000002
【特許請求の範囲】
【請求項１】
遠心ポンプのためのインペラであって、前記インペラは、
前記インペラの中心軸から前記インペラの周縁部までの長さにわたって半径方向に延びる少なくとも１つの羽根を有し、前記少なくとも１つの羽根は、前記インペラの前記周縁部に、あるいはその付近に外側終端部を備え、前記外側終端部は、凸形状の外側に向かって延びる部分を備えることを特徴とするインペラ。
【請求項２】
さらに、周縁部を備える少なくとも１つのシュラウドを有し、前記シュラウドの前記周縁部は、前記インペラの前記周縁部を画定し、前記少なくとも１つの羽根は前記シュラウドから外側に向かって延びることを特徴とする請求項１に記載のインペラ。
【請求項３】
前記外側に向かって延びる部分は、先端部、および前記インペラの前記中心軸から前記先端部まで測定される半径ＲＶを備え、前記シュラウドは、前記中心軸から前記周縁部まで測定される半径ＲＳを備え、前記半径ＲＶは、前記半径ＲＳと等しいまたは大きいことを特徴とする請求項２に記載のインペラ。
【請求項４】
前記少なくとも１つの羽根の前記外側終端部は、さらに、半径ＲＢを有する部分を備え、前記半径ＲＢは前記半径ＲＳよりも小さいまたは等しいことを特徴とする請求項３に記載のインペラ。
【請求項５】
前記外側に向かって延びる部分はアーチ形状であることを特徴とする請求項４に記載のインペラ。
【請求項６】
前記外側に向かって延びる部分は、交差する少なくとも２つの線から形成される外縁部を備えることを特徴とする請求項４に記載のインペラ。
【請求項７】
前記少なくとも１つの羽根は幅ＷＶを有し、前記外側に向かって延びる部分は幅ＷＰを有し、前記幅ＷＰは前記幅ＷＶよりも小さいまたは等しいことを特徴とする請求項４に記載のインペラ。
【請求項８】
前記外側に向かって延びる部分の面積は、ＷＶ（ＲＶ−ＲＢ）で定義される面積の約３０％乃至約８５％であることを特徴とする請求項７に記載のインペラ。
【請求項９】
前記外側に向かって延びる部分は湾曲したあるいはアーチ形の外縁部を備えることを特徴とする請求項１に記載のインペラ。
【請求項１０】
前記外側に向かって延びる部分は、交差する少なくとも２つの線から形成される外縁部を備えることを特徴とする請求項１に記載のインペラ。
【請求項１１】
回転式ポンプのためのインペラであって、前記インペラは、
中心軸および前記中心軸から半径方向に離れる周縁部を備えるシュラウドを有し、前記シュラウドは半径ＲＳを有し、
前記インペラは、さらに、前記シュラウドから軸方向外側に向かって延び且つ前記中心軸またはその付近から前記周縁部まで延びる少なくとも１つの羽根を有し、前記羽根は、前記周縁部またはその付近に位置する外側終端部を備え、前記外側終端部は、半径ＲＶを有する外側に向かって延びる部分を備え、前記半径ＲＶは前記中心軸から前記外側に向かって延びる部分の先端まで測定され、
前記半径ＲＶは前記半径ＲＳよりと等しいまたは大きいことを特徴とするインペラ。
【請求項１２】
さらに、前記シュラウドから離隔して平行に配置される第２のシュラウドを有し、前記少なくとも１つの羽根は、前記離隔するシュラウド間を延びることを特徴とする請求項１１に記載のインペラ。
【請求項１３】
前記少なくとも１つの羽根の前記外側終端部は、さらに、半径ＲＢを有する部分を備え、前記半径ＲＢは前記半径ＲＳと等しいことを特徴とする請求項１１に記載のインペラ。
【請求項１４】
前記少なくとも１つの羽根の前記外側終端部は、さらに、半径ＲＢを有する部分を備え、前記半径ＲＢは前記半径ＲＳよりも小さいことを特徴とする請求項１１に記載のインペラ。
【請求項１５】
前記外側に向かって延びる部分は凸形状であることを特徴とする請求項１１に記載のインペラ。
【請求項１６】
前記外側に向かって延びる部分は、湾曲した外縁部を備えることを特徴とする請求項１１に記載のインペラ。
【請求項１７】
前記外側に向かって延びる部分は、交差する少なくとも２の線を有する外縁部を備えることを特徴とする請求項１１に記載のインペラ。
【請求項１８】
前記少なくとも１つの羽根は、幅ＷＶを有し、前記外側に向かって延びる部分の形状は、ＷＶ（ＲＶ−ＲＳ）で定義される面積の約３０％乃至約８５％であることを特徴とする請求項１１に記載のインペラ。
【請求項１９】
前記少なくとも１つの羽根は、幅ＷＶを有し、前記外側に向かって延びる部分の形状は、ＷＶ（ＲＶ−ＲＢ）で定義される面積の約３０％乃至約８５％であることを特徴とする請求項１３に記載のインペラ。
【請求項２０】
前記外側に向かって延びる部分は、ポンプケーシング内の摩損を低減するために、選択された流体速度分布を生じさせるように成形された外縁部を備えることを特徴とする請求項１９に記載のインペラ。
【請求項２１】
前記少なくとも１つのシュラウドは、前記中心軸から前記周縁部まで測定される半径ＲＳを有し、前記外側に向かって延びる部分は、先端部および前記インペラの前記中心軸から前記先端部まで測定される半径ＲＶを有し、前記外側に向かって延びる部分は、半径ＲＢを画定する軸方向の端部を有し、前記半径ＲＢは、前記少なくとも１つの軸方向の端部から前記中心軸まで測定され、前記半径ＲＢは、前記半径ＲＶおよび前記半径ＲＳよりも小さく且つ前記半径ＲＶは前記半径ＲＳよりも小さいことを特徴とする請求項２に記載のインペラ。
【発明の詳細な説明】
【技術分野】
【０００１】
本発明はポンプのインペラに関し、特に、スラリー処理時に、ポンプケーシングの摩損を選択的に調整するために、インペラの速度分布を選択的に決定するように特別に構成された羽根を有するインペラに関する。
【背景技術】
【０００２】
液体やスラリーを処理するために、様々な業界で回転式ポンプが用いられている。処理する液体の種類により、特定の用途に用いられるポンプの種類および構成が要求される。すなわち、ポンプの内部構造をすり減らし、劣化させる大量の固体や微粒子を含むスラリーを処理する場合よりも、澄んだ液体を汲み上げる場合には、ポンプに対する要求が少ない。
【０００３】
それゆえ、ポンプの設計者および技術者は、処理する流体やスラリーの種類を考慮し、その用途に最も好適なインペラおよびポンプケーシングを選択あるいは設計しなければならない。例えば、澄んだ液体（例えば水）を処理する場合、ポンプケーシングは、ポンプの水切り部からポンプの出口までの断面積が変化する形状のボリュートであることが典型的であり、ポンプケーシングの摩損は比較的少ない。
【０００４】
しかし、スラリーを処理する場合、ポンプ効率を最適化する観点のみからではなく、ポンプケーシングの摩損を最小化する観点からも、液圧の表面幾何構造の効果を考慮しなければならない。そこで、スラリーポンプの設計において、澄んだ液体を処理するポンプの一般的なボリュート形状を、例えば、幅広のインペラ出口および平行な側面を持つケーシングを備えるように改造することが典型的であった。
【０００５】
ポンプケーシング上の摩損を生じさせる他の要因は、インペラの羽根の形状である。特に、インペラの羽根の外縁部が、ポンプを通過する流体の流速に重大に影響することが実証されている。シュラウドの周縁部およびその付近で、まっすぐな外縁部を有する典型的な羽根の構成は、ボリュートの側面に沿ってポンプケーシングに摩損を生じさせるある特定の流速を生み出すことが観測されている。
【発明の開示】
【発明が解決しようとする課題】
【０００６】
従って、本技術分野において、より均一な摩損パターンを生じさせるために、特別に設計あるいは構成された羽根を有するインペラを提供し、特に固体含有量の大きいおよび／または特に研磨性を有する固体を含有するスラリーを処理するときに、ポンプケーシングの総摩損寿命を延ばすことは有利である。
【課題を解決するための手段】
【０００７】
本発明によれば、スラリーを処理する時に、ポンプケーシングを摩損する害が小さい流速を生じさせるために、外側終端部を特別に成形した少なくとも１つの羽根を有するインペラが提供される。本発明の羽根の構成は、ここでは遠心式スラリーポンプに使用することに関して説明および図示されるが、インペラを備える任意の回転式ポンプに使用することに適合可能である。
【０００８】
本発明によるインペラは、ポンプの中心軸に対応するインペラの中心点あるいはその付近から延びる少なくとも１つの羽根を有する。羽根は、インペラの周縁部に向かって半径方向外側に向かって延びる。羽根は成形された外側終端部を有する。本発明によるインペラは１つのシュラウド（一般的に、セミオープンインペラとして知られている）、２つのシュラウド（一般的に、クローズドインペラとして知られている）、あるいは、シュラウドのない（一般的にオープンインペラとして知られている）を備えることができる。しかし、ここでは、本発明は、ポンプケーシングの駆動側（すなわち、ポンプの入口の反対側）に向かって配置されるように位置決めされる、少なくとも１つのシュラウドを有するものとして説明する。
【０００９】
本発明による羽根の外側終端部は、羽根の概ね凸形状の縁を形成する半径方向外側に向かって延びる部分を備える。ここでは「凸形状」の語は、従来の曲線の表面という定義に限定することを意図しているのではなく、単に、羽根の外側終端部が、まっすぐ、あるいはインペラの中心軸に向かって半径方向内側に湾曲しているのではなく、インペラの中心軸に対して半径方向外側に向かって延びる、ということを意味している。従って、外側終端部は、任意の形状とすることができ、外側終端部を半球状、曲線状としてもよく、あるいは、２つのまたはそれ以上の交差する線から構成してもよいが、それらに限定されない。
【００１０】
本発明の凸形状の羽根の外側終端部は、概ね、ポンプケーシングの内部表面の摩損を低減する流体速度分布を生じさせる。特定の種類のスラリーを処理するときに、ポンプケーシング上に生じる摩損が制御および低減されるように、流体速度分布を決定あるいは調整するために、羽根の外側終端部の形状を特別に選択する。
【発明を実施するための最良の形態】
【００１１】
図面は、現在において、本発明を実施するための最良と思われる形態を示している。
【００１２】
図１は、インペラ１２およびポンプケーシング１４からなる従来の遠心ポンプ１０を概略的に示している。ポンプケーシング１４を貫通する入口１６が設けられ、入口１６は、流入する流体をインペラ１２に導く。図１に示されるポンプケーシング１４は、水切り部１８から排出口２０まで延びるボリュート型のケーシングである。図１中のポンプケーシング１４内に表示された矢印が示すように、および、さらに図２に断面図で示されているように、ポンプ１０の水切り部１８からポンプ１０の排出口２０に向かって、ポンプのボリュートの断面積が増加していることが見てとれる。
【００１３】
図２に示すように、インペラ１２は駆動軸２２により回転し、入口１６から流入した流体はインペラ１２中に入り、そして外側に押し出され、ポンプケーシング１４のボリュート２４に入る。押し出された流体は、さらに、ポンプケーシング１４のボリュートに沿って、水切り部１８から排出口２０まで、図２に示すようなポンプケーシング１４の徐々に大きくなる断面積に向かって移動する。
【００１４】
さらに、図１に概略的に示されているように、従来のポンプのインペラ１２は、インペラ１２の中心３２から、あるいはその付近から外側に向かって半径方向に延びる、少なくとも１つの羽根３０、あるいは通常は複数の羽根を有する。図３に明確に示されているように、例えば、インペラ１２は、ポンプの中心軸に対応する中心点３２を有する、概ね平らな円板状に形成されたシュラウド３４を備えることができる。羽根３０はシュラウド３４の中心３２から、あるいはその付近から外側に向かって、羽根３０の終端となるシュラウド３４の周縁部３６まで延びる。各羽根３０は、ポンプケーシング１４（図２）のボリュート２４に向かって、流体を半径方向外側に押し出すための、流入する流体が衝突する先導表面３８を有する。
【００１５】
再び図３を参照すると、羽根３０を通る直線Ｙに沿った断面図が示されており、各羽根３０の外側終端部４０は縁部４２を画定している。図３は、従来の羽根の第１の構成を示しており、本構成の羽根３０は、羽根３０の外側終端部４０に、まっすぐな縁部を有する。従来の形式である羽根３０のまっすぐな外縁部４２は、図示されているように、概ねシュラウド３４の周縁部３６と一致して終端する。
【００１６】
図４は、他の従来のインペラの羽根３０の構成を示しており、羽根３０を通る直線Ｘに沿った断面図が示すように、羽根３０の外側終端部４０の外縁部４４は凹形状である。すなわち、外縁部４４はシュラウド３４の中心点３２に向かって内側に湾曲しており、外縁部４４の中心４６は、シュラウド３４の周縁部３６と一致せずに終端する。
【００１７】
羽根の終端部の形状が、インペラに存在する流体の流速に影響を与え、それにより、スラリーを処理するときに、ポンプケーシングに生じる摩損の種類あるいはパターンが影響を受けることが実証されている。図５に示すように、例えば、まっすぐな外縁部４２を有する従来の羽根は、軸方向における羽根の両側４８、５０において、あるいはその付近において、軸方向における羽根の両側４８、５０の間の中心よりも大きな流速で押し出されるような流体速度分布を生じさせる。従って、ポンプケーシングの摩損パターンは、ボリュートの両側面にらせん形状のパターンとして生じる。
【００１８】
図６に示されるように、凹形状の外縁部４４を有する従来の羽根から生じる流体速度分布は、羽根の軸方向の端部において、流速の２重スパイクが発生する、あるいは生じることを除いて、まっすぐな外縁部４２を有する羽根から生じる流体速度分布に類似している。従って、ポンプを通過するスラリーを処理するときに、ポンプケーシングのボリュートに沿って、２重らせんの摩損パターンが観察される。図５および図６に示す両方の従来の羽根の構成は、ポンプのボリュートの中心において、相対的に摩損が少ない。
【００１９】
前述の観点から、従前知られたインペラの羽根に比べて、ポンプケーシングのボリュートに、より制御および低減された摩損を発生させるような流体速度分布を生じさせるために、適当に成形された外側終端部を有する羽根の構成を提供することは利点がある。本発明者は、例えば図７に示されるような、概ね凸形状の外縁部６２を有する羽根６０は、ポンプケーシングのボリュートにわたって、より平坦に分布する流体速度分布を生じさせ、それにより、従来の羽根の構成により典型的に生じていた摩損よりも、均一な摩損をケーシングの内部表面の生じさせること発見した。
【００２０】
図８はこれをより明確に示しており、本発明のインペラの羽根６０は、概ね、凸形状の外縁部６２を画定する外側終端部６４を有しており、外縁部６２は半径方向外側に向かって延びる部分６６を含み、半径方向外側に向かって延びる部分６６は、シュラウド３４の周縁部３６を越えて延びる。従って、外側に向かって延びる部分６６の、インペラ３４の中心３２から羽根６０の最外先端部６８まで測った半径ＲＶは、シュラウド３４の半径ＲＳよりも大きい。以下により詳細に説明するように、外側終端部６４の外側に向かって延びる部分６６を変形させてもよく、また、用途に必要なポンプ機能の要求を満足するような所望の流体速度分布が生じるように、特別に選択してもよい。
【００２１】
ここで、図８は本発明の第１の実施態様を示しており、羽根６０の外側終端部６４は外側に向かって延びる部分６６を有しており、外側に向かって延びる部分６６は、シュラウド３４の半径ＲＳよりも大きい半径ＲＶを有している。また、羽根６０の外縁部６２は、外側に向かって延びる部分６６の両側に半径ＲＢを有する部分７０、７２が構成され、本実施態様においては、半径ＲＢはシュラウド３４の半径ＲＳと等しい。羽根６０は幅ＷＶを有し、外側に向かって延びる部分６６は、羽根６０の幅ＷＶよりも小さい幅ＷＰを有する。以下により詳細に説明する同等に好適な代替実施態様において、外側に向かって延びる部分６６の幅ＷＰは、羽根６０の幅ＷＶと等しくてもよい。
【００２２】
図８に示す本発明の第１の実施態様において、外側に向かって延びる部分６６は、点Ａから外側に向かって延びる部分６６の先端部６８を通って点Ｂまで、概ねアーチ形を形成する。単なる例示として、外側に向かって延びる部分６６は半径ＲＣを有する。しかし、点Ａ、先端部６８および点Ｂの間のアーチ形は、同じ半径（すなわち円弧）を有する必要はない。本技術分野における当業者は、本開示により、外側に向かって延びる部分６６を形成するアーチ形あるいは曲線を、本稿で説明されるように、所望の流体速度分布を生じさせるために適当に変形できることを理解するであろう。図９に示す本発明の代替実施態様において、羽根６０の外縁部６２は、羽根６０の半径ＲＶを画定する先端部６８を有する外側に向かって延びる部分６６を含む。外縁部６２は、さらに、外側に向かって延びる部分６６の両側に、シュラウド３４の半径ＲＳよりも小さな半径ＲＢを有する部分７０、７２を含む。さらに、シュラウド３４の半径ＲＳは、外側に向かって延びる部分６６の半径ＲＶよりも小さい。外側に向かって延びる部分６６は、点Ａ、羽根６０の先端部６８、および点Ｂの間に画定され、幅ＷＰを有する。外側に向かって延びる部分６６の幅ＷＰは、羽根６０の幅ＷＶよりも小さい。
【００２３】
図９に示す代替実施態様において、外側に向かって延びる部分６６は、単なる例示として示されており、点Ａと羽根６０の先端部６８との間に画定される第１の線７４、および、先端部６８と点Ｂとの間に画定される第２の線７６からなる交差する２つの線から形成される。さらに、本実施態様は、外側に向かって延びる部分６６の形状が、図８に示すようなアーチ線あるいは曲線ではなく、複数の交差する線を有していてもよいことを示すために与えられる。再び、本技術分野における当業者は、本開示から、羽根６０の外縁部６２の形状は、所望の流体速度分布を提供するために、任意の様々な形状に変形できることを理解するであろう。
【００２４】
本発明によるインペラの羽根の実施態様は、羽根６０の先端部６８が、羽根６０の幅ＷＶの中心に位置するように示されている。しかし、所望の流体速度分布を達成するために決定されるあるいは必要とされる場合には、先端部６８は羽根６０および幅ＷＶの中心線８０上以外の場所に位置してもよいことに注意されたい。
【００２５】
図８および９は、本発明の２者択一的な実施態様を示しており、羽根の半径ＲＶは、シュラウド半径ＲＳおよび／または基本半径ＲＢの両方あるいはその一方よりも大きい。図１０および１１は、本発明の他の実施態様を示す。例えば図１０は、羽根の半径ＲＶが、シュラウドの半径ＲＳよりもわずかに小さく、羽根の半径ＲＶとシュラウドの半径ＲＳとは両方とも基本半径ＲＢよりも大きい代替実施態様を示している。
【００２６】
もう１つの代替実施態様が図１１に示されており、羽根６０の半径ＲＶおよびシュラウド３４の半径ＲＳは実質的に等しく、両方の半径は、羽根６０の基本半径ＲＢよりも大きい。図１０および１１に示した両方の実施態様は、ポンプケーシングのボリュート上の摩損を低減する望ましい流速を達成する。図１０および１１に示される凸形状に外側に向かって延びる部分６６は、単に一例として半円状に示されているが、他の適当な凸形状あるいは寸法も、適切および／あるいは有効であることに注意されたい。
【００２７】
さらに、前述したように、外側に向かって延びる部分６６の、軸方向に対向する端部を画定する点Ａおよび点Ｂの位置は、図１２に示すように、羽根６０の中心線８０（図８および９）のより近くから、軸方向の羽根６０の端部８２、８４までの任意の場所に位置することができる。それゆえ、点Ａと点Ｂとの間の距離Ｄは、Ｄ＝ＷＶから約Ｄ＝ＷＶ／３までの距離としてよく、点Ａおよび点Ｂは羽根６０の中心線８０から均等に離れていてもよく、あるいは不均等に離れていてもよい。
【００２８】
図１２に示す本発明の実施態様を再び参照すると、点Ａおよび点Ｂで画定される、外側に向かって延びる部分６６の軸方向の端部は、軸方向の羽根６０の端部８２、８４まで延びる。このように、図１２に示される実施態様は、図８乃至１１の実施態様に示されるような側部（７０、７１）を有しておらず、外側に向かって延びる部分６６の軸方向の端部（点Ａ、点Ｂ）は、羽根６０の基本半径ＲＢを示している。図１２に示す第５の実施態様において、インペラの中心軸３２から羽根６０の先端部６８までの距離で定義される羽根６０の半径ＲＶは、シュラウド３４の半径ＲＳよりも大きく、基本半径ＲＢはシュラウド半径ＲＳと等しい。
【００２９】
また、図１２に点線で示す第６の実施態様において、シュラウド３４は、インペラの周縁部３６´が半径ＲＳ´まで延びるように、羽根６０の基本半径ＲＢを越えて選択された距離だけ延びる。それゆえ、羽根６０の半径ＲＶはＲＢおよびＲＳ´よりも大きい。
【００３０】
図１３に示される第７の実施態様において、羽根６０の先端部６８は、シュラウド３４の周縁部３６まで延びていない。それゆえ、本実施態様において、羽根６０の外側に向かって延びる部分６６はシュラウド３４を越えて延びていないが、インペラの流体速度分布に有利に影響する。図１３の実施態様において、羽根６０の半径ＲＶは、基本半径ＲＢよりも大きいが、シュラウド３４の半径ＲＳよりは小さい。
【００３１】
さらに、図１４に示される、本発明の他の代替実施態様において、羽根６０の先端部６８はシュラウド３４の周縁部３６と実質的に等しい位置まで延び、羽根６０の半径ＲＶおよびシュラウド３４の半径ＲＳは等しく、あるいは実質的に等しく且つ基本半径ＲＢは、羽根の半径ＲＶあるいはシュラウドの半径ＲＳの一方よりも小さい。再び、図１２乃至１４に示されている凸形状の縁はアーチ形であるが、外側に向かって延びる部分６６は、前述のように任意の適当な形状としてもよい。
【００３２】
羽根６０の外側に向かって延びる部分６６の形状が、先に図示および説明したような形状であるかどうかに関わらず、この形状の面積は、ＷＶ（ＲＶ−ＲＢ）で定義される面積の約３０％乃至約８５％の間であることが好ましい。以下の表１は、一例として、本稿で述べる変形例のいくつかの可能な寸法範囲を示す。ただし、本表１は寸法範囲を網羅的に定義したものではない。
【００３３】
【表１】
2007531841.tif 000003
【００３４】
本発明によるインペラの羽根は、スラリー流体が、インペラからケーシングに向かって押し出されることを原因とするポンプケーシングの摩損を制御および／または低減する、選択された流体速度度分布を提供するために構成される。本インペラの羽根は、事実上、任意の形式、サイズ、あるいは様々な回転式ポンプの使用に際して適用することができる。本技術分野における当業者は、本開示により、様々なポンプに所望の流体速度分布を生じさせるために用いるインペラの羽根の変形例や応用例を理解できるであろう。それゆえ、本稿での本発明の特定の実施態様や細目への参照は、例示であり、限定ではない。
【図面の簡単な説明】
【００３５】
【図１】典型的なボリュートポンプケーシングを有する遠心ポンプを示す概略正面図である。
【図２】図１に示すポンプの線２−２の沿った概略断面図である。
【図３】まっすぐな縁を有する、従来のインペラの羽根の終端部を示す、部分断面図である。
【図４】凹状の縁を有する、他の従来のインペラの羽根の終端部を示す、部分断面図である。
【図５】図３に示される終端部を有する羽根の流体速度分布を示す略図である。
【図６】図４に示される終端部を有する羽根の流体速度分布を示す略図である。
【図７】外側に向かって延びる縁を有する終端部を備える、本発明の羽根構成の流体速度分布を示す略図である。
【図８】本発明の第１の実施態様の断面示す概略図である。
【図９】本発明の第２の実施態様の断面示す概略図である。
【図１０】本発明の第３の実施態様の断面示す概略図である。
【図１１】本発明の第４の実施態様の断面示す概略図である。
【図１２】本発明の第５の実施態様の断面示す概略図である。
【図１３】本発明の第６の実施態様の断面示す概略図である。
【図１４】本発明の第７の実施態様の断面示す概略図である。
【図１】
2007531841.tif 000004
【図２】
2007531841.tif 000005
【図３】
2007531841.tif 000006
【図４】
2007531841.tif 000007
【図５】
2007531841.tif 000008
【図６】
2007531841.tif 000009
【図７】
2007531841.tif 000010
【図８】
2007531841.tif 000011
【図９】
2007531841.tif 000012
【図１０】
2007531841.tif 000013
【図１１】
2007531841.tif 000014
【図１２】
2007531841.tif 000015
【図１３】
2007531841.tif 000016
【図１４】
2007531841.tif 000017
【手続補正書】
【提出日】平成18年1月31日(2006.1.31)
【手続補正１】
【補正対象書類名】特許請求の範囲
【補正対象項目名】請求項１
【補正方法】変更
【補正の内容】
【請求項１】
遠心ポンプのためのインペラであって、前記インペラは、
前記インペラの中心軸から前記インペラの周縁部までの長さにわたって半径方向に延びる少なくとも１つの羽根を有し、前記少なくとも１つの羽根は、前記インペラの前記中心軸に垂直に、前記半径方向の長さに沿って延びる中心線を有し、さらに、前記少なくとも１つの羽根は、前記インペラの前記周縁部に、あるいはその付近に外側終端部を備え、前記外側終端部は、凸形状の外側に向かって延びる部分を備えることを特徴とするインペラ。
【手続補正２】
【補正対象書類名】特許請求の範囲
【補正対象項目名】請求項１１
【補正方法】変更
【補正の内容】
【請求項１１】
回転式ポンプのためのインペラであって、前記インペラは、
中心軸および前記中心軸から半径方向に離れる周縁部を備えるシュラウドを有し、前記シュラウドは半径ＲＳを有し、
前記インペラは、さらに、前記シュラウドから軸方向外側に向かって延び且つ前記中心軸またはその付近から前記周縁部まで延びる長さを有する少なくとも１つの羽根を有し、前記インペラは、前記中心軸に垂直な、前記少なくとも１つの羽根の中心線を画定し、前記羽根は、前記シュラウドに沿った前記羽根の半径方向に向かって延びる部分に沿って、前記シュラウドに固定され、前記羽根は、前記周縁部またはその付近に位置する外側終端部を備え、前記外側終端部は、半径ＲＶを有する外側に向かって延びる部分を備え、前記半径ＲＶは前記中心軸から前記外側に向かって延びる部分の先端まで測定され、
前記半径ＲＶは前記半径ＲＳよりと等しいまたは大きいことを特徴とするインペラ。
【国際調査報告】
2007531841.tif 000018